(57)【特許請求の範囲】
【請求項１】
電気部品を着脱可能に収容する収容部を有すると共にこの収容された電気部品の端子に離接可能な複数のコンタクトピンを備えたソケット本体と、
上記ソケット本体の一側端部に回動可能に軸支されたソケットカバーと、
上記ソケット本体の他側端部に軸支され上記ソケットカバーの閉状態を保持するラッチ部材と、
上記ソケット本体の他側端部に上記ソケットカバーと逆方向に回動して開閉可能に軸支され閉状態のソケットカバーをさらに押し下げるレバー部材とを備え、
上記ソケットカバーが閉止されることにより、上記収容部に収容された電気部品を押圧保持して該電気部品の端子を上記コンタクトピンに接触させるようにした電気部品用ソケットであって、
上記ソケットカバーをソケット本体の一側端部に軸支する支持軸の軸孔の断面形状を、この軸孔内にて上記支持軸がソケット本体に対して近接又は離間する方向へ移動可能とする長孔とすると共に、上記ソケットカバーを閉止時に上記支持軸を上記ソケット本体に対して近接する方向へ付勢する付勢手段を備え、
上記ソケットカバーの閉止時に上記レバー部材を閉じることで、該ソケットカバーをソケット本体に対して近接又は離間する方向へ移動可能としたことを特徴とする電気部品用ソケット。
【請求項２】
電気部品を着脱可能に収容する収容部を有すると共にこの収容された電気部品の端子に離接可能な複数のコンタクトピンを備えたソケット本体と、
上記ソケット本体の一側端部に回動可能に軸支されたソケットカバーと、
上記ソケット本体の他側端部に軸支され上記ソケットカバーの閉状態を保持するラッチ部材と、
上記ソケット本体の他側端部に上記ソケットカバーと逆方向に回動して開閉可能に軸支され閉状態のソケットカバーをさらに押し下げるレバー部材とを備え、
上記ソケットカバーが閉止されることにより、上記収容部に収容された電気部品を押圧保持して該電気部品の端子を上記コンタクトピンに接触させるようにした電気部品用ソケットであって、
上記ラッチ部材をソケット本体の他側端部に軸支する支持軸の軸孔の断面形状を、この軸孔内にて上記支持軸がソケット本体に対して近接又は離間する方向へ移動可能とする長孔とすると共に、上記ソケットカバーを閉止時に上記支持軸を上記ソケット本体に対して近接する方向へ付勢する付勢手段を備え、
上記ソケットカバーの閉止時に上記レバー部材を閉じることで、該ソケットカバーをソケット本体に対して近接又は離間する方向へ移動可能としたことを特徴とする電気部品用ソケット。
【請求項３】
上記ソケット本体に、上記付勢手段の初期撓み量を変える付勢力調整手段を付加したことを特徴とする請求項１又は２記載の電気部品用ソケット。
【請求項４】
上記ソケットカバーの下面から上面に貫通する開口部を設け、この開口部内に揺動可能にヒートシンクを装着し、このヒートシンクの下面で上記収容部に収容された電気部品を押圧することを特徴とする請求項１〜３のいずれか１項に記載の電気部品用ソケット。
【発明の詳細な説明】
【技術分野】
【０００１】
本発明は、ソケット本体にソケットカバーを閉止することにより、上記ソケット本体に収容された電気部品を押圧保持し、該電気部品の端子を上記ソケット本体に配設されたコンタクトピンに接触させて接続する電気部品用ソケットに関し、詳しくは、上記電気部品の厚さや端子の数が異なる場合でも所定の付勢力による付勢を可能とし、さらに放熱量の大きい高機能デバイスに対しても適用可能な電気部品用ソケットに係るものである。
【背景技術】
【０００２】
一般に、ＩＣパッケージなどの電気部品についての性能検査を行うときには、電気部品を着脱可能に保持して外部の測定器に電気的に接続させる電気部品用ソケットが用いられる。このうち、いわゆるクラムシェルタイプのものは、電気部品を収容する収容部が設けられたソケット本体と、このソケット本体の一側端部にて回動可能に軸支され閉じた状態で収容部に収容された電気部品を押圧して固定するソケットカバーとを備えて成り、さらに消費電力の大きい高機能デバイスに適用する電気部品用ソケットにおいては、電気部品に接触させる放熱用のヒートシンクを備えて成る。
【０００３】
従来のこの種の電気部品用ソケットは、ソケット本体とソケットカバーとの間に電気部品を押圧する押圧部材を上下動可能に設け、その押圧部材の上面とソケットカバーの下面との間に波型バネを介在させることにより、その付勢力によって押圧部材を電気部品に押圧していた。また、ソケットカバーにヒートシンクを上下動可能に備え、ソケットカバー上面に設けられた圧縮バネによりこのヒートシンクを下方に付勢して電気部品に接触させていた。
【０００４】
そして、このような電気部品用ソケットを使用して電気部品を保持するときには、まずソケットカバーを開いてソケット本体の収容部に電気部品を収容し、次にこのソケットカバーを閉じることで電気部品を押さえつけて固定するようになっていた（例えば、特許文献１参照）。
【特許文献１】特開２００１−２８１２９５号公報
【発明の開示】
【発明が解決しようとする課題】
【０００５】
しかし、上記従来の電気部品用ソケットにおいては、ソケットカバーの上面にヒートシンクを貫通して複数の鍔つきのネジを立設し、この鍔つきのネジの鍔とヒートシンクとの間に圧縮コイルバネを介在させることによってヒートシンクを下方へ付勢していたため、ヒートシンクに鍔つきのネジ用の複数の孔を設けなければならず、その分ヒートシンクの放熱面積が減り、放熱量を下げていた。また、ヒートシンクが圧縮コイルバネによって完全に浮いていたため、電気部品からの反力を全て圧縮コイルバネで受け止める必要があり、圧縮コイルバネのバネ力を強くしなければならなかった。さらに、ソケットカバーによる電気部品の付勢について、その付勢力を調整する手段を備えていなかったため、厚さやピン数の異なる複数種の電気部品を異なる厚さやピン数に応じて適切な付勢力によって付勢することができなかった。さらにまた、電気部品を押圧するための押圧手段とヒートシンクを付勢する付勢手段とがそれぞれ別々に設けられていたため、機構が複雑になり、部品点数が多くなっていた。
【０００６】
そこで、本発明は、このような問題点に対処し、上記電気部品の厚さや端子の数が異なる場合でも所定の付勢力による付勢を可能とし、さらに放熱量の大きい高機能デバイスに対しても適用可能な電気部品用ソケットを提供することを目的とする。
【課題を解決するための手段】
【０００７】
上記目的を達成するために、第１の発明による電気部品用ソケットは、電気部品を着脱可能に収容する収容部を有すると共にこの収容された電気部品の端子に離接可能な複数のコンタクトピンを備えたソケット本体と、上記ソケット本体の一側端部に回動可能に軸支されたソケットカバーと、上記ソケット本体の他側端部に軸支され上記ソケットカバーの閉状態を保持するラッチ部材と、上記ソケット本体の他側端部に上記ソケットカバーと逆方向に回動して開閉可能に軸支され閉状態のソケットカバーをさらに押し下げるレバー部材とを備え、上記ソケットカバーが閉止されることにより、上記収容部に収容された電気部品を押圧保持して該電気部品の端子を上記コンタクトピンに接触させるようにした電気部品用ソケットであって、上記ソケットカバーをソケット本体の一側端部に軸支する支持軸の軸孔の断面形状を、この軸孔内にて上記支持軸がソケット本体に対して近接又は離間する方向へ移動可能とする長孔とすると共に、上記ソケットカバーを閉止時に上記支持軸を上記ソケット本体に対して近接する方向へ付勢する付勢手段を備え、上記ソケットカバーの閉止時に上記レバー部材を閉じることで、該ソケットカバーをソケット本体に対して近接又は離間する方向へ移動可能としたものである。
【０００８】
このような構成により、ソケット本体の一側端部に回動可能に軸支されたソケットカバーをソケット本体の一側端部に軸支する支持軸の軸孔の断面形状を長孔とすることにより、この軸孔内にて上記支持軸がソケット本体に対して近接又は離間する方向へ移動可能とし、付勢手段により、ソケットカバーを閉止時に上記支持軸を上記ソケット本体に対して近接する方向へ付勢する。これにより、上記ソケットカバーの閉止時に上記レバー部材を閉じることで、該ソケットカバーをソケット本体に対して近接又は離間する方向へ移動可能とする。
【０００９】
第２の発明による電気部品用ソケットは、電気部品を着脱可能に収容する収容部を有すると共にこの収容された電気部品の端子に離接可能な複数のコンタクトピンを備えたソケット本体と、上記ソケット本体の一側端部に回動可能に軸支されたソケットカバーと、上記ソケット本体の他側端部に軸支され上記ソケットカバーの閉状態を保持するラッチ部材と、上記ソケット本体の他側端部に上記ソケットカバーと逆方向に回動して開閉可能に軸支され閉状態のソケットカバーをさらに押し下げるレバー部材とを備え、上記ソケットカバーが閉止されることにより、上記収容部に収容された電気部品を押圧保持して該電気部品の端子を上記コンタクトピンに接触させるようにした電気部品用ソケットであって、上記ラッチ部材をソケット本体の他側端部に軸支する支持軸の軸孔の断面形状を、この軸孔内にて上記支持軸がソケット本体に対して近接又は離間する方向へ移動可能とする長孔とすると共に、上記ソケットカバーを閉止時に上記支持軸を上記ソケット本体に対して近接する方向へ付勢する付勢手段を備え、上記ソケットカバーの閉止時に上記レバー部材を閉じることで、該ソケットカバーをソケット本体に対して近接又は離間する方向へ移動可能としたものである。
【００１０】
このような構成により、ソケットカバーの閉状態を保持するラッチ部材をソケット本体の他側端部に軸支する支持軸の軸孔の断面形状を長孔とすることにより、この軸孔内にて上記支持軸がソケット本体に対して近接又は離間する方向へ移動可能とし、付勢手段により、ソケットカバーを閉止時に上記支持軸を上記ソケット本体に対して近接する方向へ付勢する。これにより、上記ソケットカバーの閉止時に上記レバー部材を閉じることで、該ソケットカバーをソケット本体に対して近接又は離間する方向へ移動可能とする。
【００１１】
また、上記ソケット本体に、上記付勢手段の初期撓み量を変える付勢力調整手段を付加してもよい。これにより、上記ソケット本体に付加した付勢力調整手段によって、上記付勢手段の付勢力を調整可能とする。
【００１３】
さらに、上記ソケットカバーの下面から上面に貫通する開口部を設けこの開口部内に揺動可能にヒートシンクを装着し、このヒートシンクの下面で上記収容部に収容された電気部品を押圧するようにしてもよい。これにより、上記ソケットカバーの下面から上面に貫通して設けられた開口部内に揺動可能に装着されたヒートシンクの下面で、上記収容部に収容された電気部品を押圧する。
【発明の効果】
【００１４】
請求項１に係る発明によれば、ソケット本体の一側端部に回動可能に軸支されたソケットカバーをソケット本体の一側端部に軸支する支持軸の軸孔の断面形状を長孔とすることにより、この軸孔内にて上記支持軸がソケット本体に対して近接又は離間する方向へ移動可能とし、付勢手段により、ソケットカバーを閉止時に上記支持軸を上記ソケット本体に対して近接する方向へ付勢することができる。これにより、上記ソケットカバーの閉止時に上記レバー部材を閉じることで、該ソケットカバーをソケット本体に対して近接又は離間する方向へ移動可能とすることができる。したがって、付勢手段による上記ソケット本体に対して近接する方向への押圧力と電気部品からの上記ソケット本体に対して離間する方向への反力とが釣り合うまで支持軸が軸孔内を移動することが許容される。このことにより、電気部品の厚さや端子の数が異なる場合でも、押込み不足や押込み過剰になることなく電気部品を適切な押込み力により押圧固定して安定した電気的接続を得ることができる。
【００１５】
請求項２に係る発明によれば、ソケットカバーの閉状態を保持するラッチ部材をソケット本体の他側端部に軸支する支持軸の軸孔の断面形状を長孔とすることにより、この軸孔内にて上記支持軸がソケット本体に対して近接又は離間する方向へ移動可能とし、付勢手段によって、ソケットカバーを閉止時に上記支持軸を上記ソケット本体に対して近接する方向へ付勢することができる。これにより、上記ソケットカバーの閉止時に上記レバー部材を閉じることで、該ソケットカバーをソケット本体に対して近接又は離間する方向へ移動可能とすることができる。したがって、付勢手段による上記ソケット本体に対して近接する方向への押圧力と電気部品からの上記ソケット本体に対して離間する方向への反力とが釣り合うまで支持軸が軸孔内を移動することが許容される。このことにより、ソケットカバーを閉じてソケット本体の収容部に収容された電気部品を押圧固定する場合、予め、収容部の上面からソケットカバーの底面までの距離によって形成される収容部の高さを電気部品の高さ寸法の下限値以下に設定することにより、電気部品の高さ寸法が公差内で最小値の場合でも、押込み不足になることなく適切な押込み力により電気部品を押圧固定することができる。また、電気部品の高さ寸法が公差内で最小値より大きい場合でも、押込み過剰になることなく電気部品を適切な押込み力により押圧固定することができ安定した電気的接続を得ることができる。
【００１７】
また、請求項３に係る発明によれば、ソケット本体に付加した付勢力調整手段によって、付勢手段の初期撓み量を変えることができる。したがって、厚さやピン数の異なる複数種の電気部品を異なる厚さやピン数に応じて適切な付勢力によって付勢することができる。
【００１９】
さらに、請求項４に係る発明によれば、ソケットカバーの下面から上面に貫通して設けられた開口部内に揺動可能に装着されたヒートシンクの下面で、収容部に収容された電気部品を押圧することができる。したがって、ソケットカバーの一側端部が上下動することによりこのソケットカバーが電気部品に対して斜めになる場合でも、ソケットカバーに装着されたヒートシンクが揺動することにより電気部品に対して常に平行を保つことができ、電気部品を全面にわたって均一に押圧することができる。このため、ヒートシンク用の付勢手段を別に設ける必要がなく、その分ヒートシンクを大きくすることができ、ヒートシンクの放熱性を向上させることができる。また、構造を簡素化することができ、部品点数を減らすことができる。
【発明を実施するための最良の形態】
【００２０】
以下、本発明の実施形態を添付図面に基づいて詳細に説明する。
図１は本発明による電気部品用ソケットの実施形態を示す図である。この電気部品用ソケットは、ソケット本体にソケットカバーを閉止することにより、上記ソケット本体に収容された電気部品を押圧保持し、該電気部品の端子を上記ソケット本体に配設されたコンタクトピンに接触させて接続するもので、例えばクラムシェルタイプのソケットであり、ソケット本体１と、ソケットカバー２と、ラッチ部材１３と、レバー部材１４とを備え、さらに付勢手段１６と、付勢力調整手段２２とを備えて成る。
【００２１】
ソケット本体１は、この電気部品用ソケットのベース部材となるもので、強度が高く、かつ耐熱性に優れた樹脂によって平盤上に成形されている。このソケット本体１の略中央部には、図２に示すように、電気部品としてのＩＣパッケージ（図示省略）を着脱可能に収容するための収容部４が設けられており、その上面には複数本のコンタクトピン５がマトリックス状に複数配設され、ＩＣパッケージの下面に設けられた複数個の端子との電気的接触を図るようになっている。また、収容部４の四隅部には、ＩＣパッケージを収容する際の案内となると共に、ＩＣパッケージの外側面を規制して位置決めする略Ｌ字形の案内部６が設けられている。さらに、ソケット本体１の一側端部（図２における右側の一側辺）の前部及び後部には本体側軸受部８,８が設けられ、この本体側軸受部８,８には第一の軸孔７がソケット本体１の一側端部に平行に形成されている。
【００２２】
また、ソケット本体１の一側端部には、図１に示すように、ソケットカバー２が矢印Ａ又はＢ方向に回動可能に取り付けられている。このソケットカバー２は、閉じた状態で収容部４（図２参照）に収容されたＩＣパッケージを押圧して固定するもので、その一側端部（図４における右側の一側辺）の前部及び後部並びに中間部にはカバー側軸受部３が設けられ、このカバー側軸受部３には第二の軸孔９がソケットカバー２の一側端部に平行に形成されている。そして、このカバー側軸受部３を、図２に示すように、ソケット本体１の本体側軸受部８,８の内側に嵌め入れ、本体側軸受部８の第一の軸孔７とカバー側軸受部３の第二の軸孔９との軸心を合わせてシャフト１０を挿通することにより、ソケットカバー２がこのシャフト１０を介して回動可能にソケット本体１に装着されている。
【００２３】
さらに、ソケット本体１の他側端部（図２における左側の一側辺）には、この側辺に平行にラッチ軸１１が設けられており、このラッチ軸１１にラッチ部材１３及びレバー部材１４が軸支されている。このラッチ部材１３は、ソケットカバー２の閉状態を保持するもので、ラッチ軸１１を中心に回動して開閉可能とされており、図１に示す閉じた状態のときに、図３に示すように、閉じた状態のソケットカバー２の先端部１５に係止してその閉状態を保持するようになっている。
【００２４】
また、図１に示すように、レバー部材１４は、閉状態のソケットカバー２をさらに押し下げるもので、ラッチ軸１１を中心に回動して開閉可能とされており、その根元部１２にラッチ部材１３に摺接するカム部（図示省略）を有している。これにより、ソケットカバーの閉状態からさらにこのレバー部材１４を閉じることにより、カム部によってラッチ部材１３がソケット本体１に対して離間する方向となる下方に押し下げられ、ソケットカバー２が閉状態よりさらに下降してＩＣパッケージが押圧固定されるようになっている。
【００２５】
ここで、本発明においては、上記収容部に収容され押圧保持される電気部品の厚さや端子の数に応じた所定の付勢力によって付勢することができるよう、上記ソケットカバーを、その閉止時に上記ソケット本体に対して近接又は離間する方向へ移動可能に設けたものである。具体的には、ソケット本体１の本体側軸受部８に設けられた第一の軸孔７の断面形状を、この第一の軸孔７内にてソケット本体１に対して近接又は離間する方向へシャフト１０の移動を可能とする長孔としている。この第一の軸孔７は、該第一の軸孔７内にてシャフト１０の上方又は下方への移動を可能にし、これに伴いソケットカバー２の上方又は下方への移動を可能とするものである。
【００２６】
また、図２に示すように、ソケット本体１の一側端部には、トーションスプリング（ねじりばね）１６が備えられている。このトーションスプリング１６は、ソケットカバー２を閉止時に、シャフト１０を介して下方にソケットカバー２を付勢する付勢手段となるもので、本体側軸受部８に備えられた固定軸１９に軸支され、図３に示すように、その基端の固定部１７がソケット本体１に固定され、その先端の可動部１８によってシャフト１０を下方に付勢するようになっている。なお、この実施形態の場合、図２に示すように、トーションスプリング１６は４つ設けられており、固定軸１９に等間隔に軸支されている。
【００２７】
さらに、ソケット本体１の本体側軸受部８の下方には、図３に示すように、付勢力調整手段２２が設けられている。この付勢力調整手段２２は、トーションスプリング１６がシャフト１０に与える下方向の付勢力を調整するもので、ソケット本体１に設けられた調整用孔２０とネジ孔２３とネジ２４とから成る。
【００２８】
この調整用孔２０は、トーションスプリング１６の固定部１７の位置に合わせてソケット本体１の下面から上面に貫通して設けられ、固定部１７が固定軸１９を中心として弾性変形可能となるように、例えば円柱や直方体形状に形成されている。また、ネジ孔２３はソケット本体１の一側端部の側面から調整用孔２０に貫通して開けられ、この調整用孔２０の位置に合わせて複数（この実施形態の場合４つ）設けられている。そして、ネジ２４をネジ孔２３に螺合させてトーションスプリング１６の固定部１７に当接させ、ネジ２４を前進後退させることにより固定部１７を押圧又は押圧解除して変位させ、トーションスプリング１６の初期撓み量を変えることにより可動部１８がシャフト１０に与える付勢力を調整するようになっている。
【００２９】
さらにまた、図４に示すように、ソケットカバー２の下面から上面に貫通する開口部２９が設けられ、図１に示すように、この開口部２９内にヒートシンク２５が揺動可能に装着されている。このヒートシンク２５は、ソケットカバー２が閉じた状態で、その下面３４で収容部４に収容されたＩＣパッケージの上面に当接し、このＩＣパッケージを下方に押圧すると共に、性能試験時の通電によりこのＩＣパッケージに生ずる発熱を伝導させて放熱するもので、下面にＩＣパッケージとの接触を行う平面状に形成された接触部２７を有し、上部に多数の放熱フィン２８が形成されている。そして、ヒートシンク２５の前後面の略中央部で、ソケットカバー２に設けられた軸孔３０（図４参照）に軸３１を挿通して軸支されている。なお、接触部２７の前部及び後部側は、ヒートシンク２５の前後側面より長く形成され、ソケットカバー２の下面に形成された後述の半円部３２に当接するようになっている。
【００３０】
また、ソケットカバー２の下面には、図４に示すように、軸３１の下部に当たる位置に、先端を下方に向けて半円状に突出して形成された半円部３２、３２が形成されている。この半円部３２は、図１に示すように、その先端部３３をヒートシンク２５の接触部２７の上面に当接させて、ヒートシンク２５の回動の中心となるものである。
【００３１】
次に、このように構成された電気部品用ソケットの使用状態について説明する。まず、電気部品用ソケットにＩＣパッケージを収容するには、図２に示すように、レバー部材１４、ラッチ部材１３及びソケットカバー２を開き、ＩＣパッケージをソケット本体１の収容部４に収容する。このとき、ＩＣパッケージは収容部４の四隅部に設けられたガイド部６によりその外側面を規制して位置決めされ、所定の位置に誘い込まれて確実に収容される。
【００３２】
次に、ソケットカバー２を矢印Ｂ方向に閉じ、図３に示すように、その先端部１５をラッチ部材１３に係止させて、ソケットカバー２を閉状態とする。その後レバー部材１４を閉じることにより、図１に示すように、レバー部材１４の根元部１２に設けられている図示省略のカム部材でラッチ部材１３を下方に押圧し、さらにカバー２を押し下げる。
【００３３】
ここで、収容部４（図２参照）に収容されたＩＣパッケージの高さ寸法の公差が大きく、収容部４の上面３５からヒートシンク２５の下面３４までの距離によって形成される収容部高さｈより高い場合は、ソケットカバー２によってＩＣパッケージに加えられる下方向の押圧力に対して、このＩＣパッケージからソケットカバー２に対して上方向の反力が働く。このため、この反力とソケットカバー２を下方向に付勢しているトーションスプリング１６の付勢力とが釣り合うまでシャフト１０が第一の軸孔７内を上昇し、これによりソケットカバー２が上昇する。このとき、ソケットカバー２は、シャフト１０側のみが上昇するため、ＩＣパッケージに対して斜めに当接し、他側端部側でのみ押圧することになるが、ＩＣパッケージを押圧するヒートシンク２５が、ソケットカバー２の半円部３２を中心に揺動することにより、ＩＣパッケージの上面に平行に当接し、全面に渡って均一に押圧することができる。これにより、押込み過剰になることなくＩＣパッケージを適切な押込み力により押圧固定することができる。
【００３４】
また、収容部４（図２参照）に収容されたＩＣパッケージの高さ寸法の公差が大きく、収容部高さｈより低い場合は、ソケットカバー２はＩＣパッケージを押圧することができないが、予め、収容部高さｈをＩＣパッケージの高さ寸法の下限値以下に設定することにより、ＩＣパッケージの高さ寸法が公差内で最小値の場合でも、押込み不足になることなく適切な押込み力により押圧固定することができる。
【００３５】
次に、収容部４（図２参照）に収容したＩＣパッケージを取り出すときには、図２に示すように、レバー部材１４を開いた状態としてからラッチ部材１３によるソケットカバー２の閉状態を解除し、さらにこのソケットカバー２を矢印Ａ方向に開く。これにより、ＩＣパッケージを収容部４から取り出すことができる。なお、このとき、ソケットカバー２によってＩＣパッケージに与えられている下方への押圧力が解除されることに伴い、このＩＣパッケージからの反力も無くなり、シャフト１０はトーションスプリング１６の可動部１８（図３参照）に押圧されて第一の軸孔７の最下点まで下降し、これに伴いソケットカバー２も同様に下降する。
【００３６】
図５は、第２の発明による電気部品用ソケットの実施形態を示す正面図である。この実施形態は、ソケット本体１の一側端部にその側辺に平行にシャフト１０が設けられており、このシャフト１０にソケットカバー２が矢印Ａ又はＢ方向に回動可能に軸支されている。また、ソケット本体１の他側端部には、この側辺に平行にラッチ軸１１が設けられており、このラッチ軸１１にラッチ部材１３及びレバー部材１４が軸支されている。
【００３７】
ここで、ラッチ軸１１は、ソケット本体１に設けられた高さ方向に長い断面形状のラッチ用軸孔３７に挿通されて上下動可能に保持されている。また、ソケット本体１の他側端部には、ラッチ軸１１と平行に固定軸３８が設けられ、この固定軸３８に、トーションスプリング３９（この実施形態の場合、前部及び後部に一つずつ）が軸支されている。そして、このトーションスプリング３９の基端の固定部４１がソケット本体１に固定され、その先端の可動部４２によってラッチ軸１１を下方に付勢するようになっている。
【００３８】
さらに、ソケット本体１のラッチ軸１１の下方には、図３に示す実施形態と同様に形成された調整用孔（図示省略）とネジ４３とネジ孔（図示省略）とからなる付勢力調整手段４４が設けられており、トーションスプリング３９によりラッチ軸１１に与えられる付勢力を調整可能としている。さらにまた、ソケットカバー２の開口部２９内には、図１に示す実施形態と同様にヒートシンク２５が揺動可能に装着され、このヒートシンク２５の下面３４で、ソケット本体１の収容部４に収容されたＩＣパッケージを押圧するようになっている。
【００３９】
このように形成された実施形態の使用状態について説明する。まず、図６に示すように、レバー部材１４、ラッチ部材１３及びソケットカバー２を開き、ＩＣパッケージを収容部４に収容する。次に、ソケットカバー２を矢印Ｂ方向に閉じ、その先端部１５をラッチ部材１３に係止させて、ソケットカバー２を閉状態とする。その後レバー部材１４を閉じることにより、図５に示すように、レバー部材１４の根元部１２に設けられている図示省略のカム部材でラッチ部材１３を下方に押圧し、さらにソケットカバー２を押し下げる。
【００４０】
ここで、収容部高さｈよりＩＣパッケージの高さが高い場合は、トーションスプリング３９による下方への押圧力とＩＣパッケージからの上方への反力とが釣り合うまでラッチ軸１１がラッチ用軸孔３７内を上昇し、これに伴いラッチ部材１３、レバー部材１４及びソケットカバー２が上昇する。これにより、図１に示す実施形態と同様に、予め収容部高さｈをＩＣパッケージの高さ寸法の下限値以下に設定することにより、押込み不足と押込み過剰とを共に防止してＩＣパッケージの適切な押込み力による押圧固定を可能とする。
【００４１】
次に、収容部４（図６参照）に収容したＩＣパッケージを取り出すときには、図６に示すように、レバー部材１４を開いた状態としてからラッチ部材１３によるソケットカバー２の閉状態を解除し、さらにこのソケットカバー２を矢印Ａ方向に開く。これにより、ＩＣパッケージを収容部４から取り出すことができる。なお、このとき、ソケットカバー２によってＩＣパッケージに与えられていた下方への押圧力が解除されることに伴い、このＩＣパッケージからの反力も無くなり、ラッチ軸１１はトーションスプリング３９の可動部４２（図５参照）に押圧されてラッチ用軸孔３７の最下点まで下降し、これに伴いソケットカバー２も同様に下降する。
【００４２】
なお、以上の説明においては、ソケットカバー２の下方への付勢を、シャフト１０又はラッチ軸１１を付勢することにより行っているが、本発明はこれに限られず、直接ソケットカバー２を付勢するようにしてもよい。また、ソケットカバー２を下方へ付勢するトーションスプリングを用いたが、例えば、圧縮バネや板状のバネ、或いはゴム等を用いてもよい。さらに、電気部品用ソケットに着脱可能に保持される電気部品は、その下面に設けられた端子が平面状に形成されたＬＧＡのみならず、その端子が球状に形成されたＢＧＡの場合においても適用することができる。
【図面の簡単な説明】
【００４３】
【図１】第１の発明による電気部品用ソケットの実施形態を示す正面図である。
【図２】図１に示す電気部品用ソケットの平面図であり、ソケットカバー、ラッチ部材及びレバー部材が開いた状態の図である。
【図３】図２のＣ−Ｃ線を切断面とした図１の断面図である。
【図４】上記電気部品用ソケットのソケットカバーを示す斜視図である。
【図５】第２の発明による電気部品用ソケットの実施形態を示す正面図である。
【図６】図５に示す電気部品用ソケットの平面図であり、ソケットカバー、ラッチ部材及びレバー部材が開いた状態の図である。
【符号の説明】
【００４４】
１…ソケット本体
２…ソケットカバー
４…収容部
５…コンタクトピン
７…第一の軸孔
９…第二の軸孔
１０…シャフト（支持軸）
１１…ラッチ軸（支持軸）
１３…ラッチ部材
１４…レバー部材
１６…トーションスプリング（付勢手段）
１７…固定部
１８…可動部
２２…付勢力調整手段
２５…ヒートシンク
３７…ラッチ軸用孔
３９…トーションスプリング（付勢手段）
４４…付勢力調整手段
【図１】
0005041955.tif 000002
【図２】
0005041955.tif 000003
【図３】
0005041955.tif 000004
【図４】
0005041955.tif 000005
【図５】
0005041955.tif 000006
【図６】
0005041955.tif 000007